(57)【特許請求の範囲】
【請求項１】
冷媒を圧縮するコンプレッサと、
前記冷媒と熱輸送用の冷却液との間で熱交換を行う熱交換器と、
高温高圧の前記冷媒の熱を放出させることにより、前記冷媒を凝縮させるコンデンサと、
低温低圧の前記冷媒と車室内へ送られる空気との間で熱交換を行うエバポレータと、
前記冷媒が流れる冷媒通路と、
前記冷媒通路を遮断可能な開閉弁と、を具備し、
暖房用冷媒回路は、前記冷媒が、前記コンプレッサから前記熱交換器を通って前記コンプレッサに戻るように構成され、
冷房用冷媒回路は、前記冷媒が、前記コンプレッサから前記コンデンサ及び前記エバポレータを通って前記コンプレッサに戻るように構成され、
前記冷房用冷媒回路のうち前記コンデンサから前記コンプレッサへ至る前記冷媒通路は、前記冷媒通路の途中で、前記エバポレータを通る第１通路と、前記エバポレータと並列に設けられた前記熱交換器を通る第２通路とに分かれており、前記開閉弁は、前記第２通路における前記熱交換器の上流側に設けられ、
前記暖房用冷媒回路に前記冷媒が流れる状態と、前記冷房用冷媒回路に前記冷媒が流れる状態とに切り替え可能な切替部をさらに具備し、
前記冷房用冷媒回路に前記冷媒が流れる状態では、前記切替部は、前記開閉弁が閉じて、前記熱交換器に前記冷媒が流れず、前記エバポレータに前記冷媒が流れる状態と、前記開閉弁が開いて、前記熱交換器、および、前記エバポレータに前記冷媒が流れる状態とを切り替え、
前記コンプレッサから延びる前記冷媒通路は、前記冷房用冷媒回路にて前記コンデンサに至る第３通路と、前記暖房用冷媒回路にて前記熱交換器に至る第４通路とに分岐する分岐部を有し、
前記切替部は、
前記分岐部と前記コンデンサとの間の前記冷媒通路と、前記分岐部と前記熱交換器との間の前記冷媒通路のいずれかを遮断することにより、前記暖房用冷媒回路に前記冷媒が流れる状態と、前記冷房用冷媒回路に前記冷媒が流れる状態とを切り替える、
車両用空調装置。
【請求項２】
前記熱交換器は、前記暖房用冷媒回路に前記冷媒が流れる状態では、高温高圧の前記冷媒と前記冷却液との間で熱交換させて、前記冷媒を凝縮させ、前記冷房用冷媒回路に前記冷媒が流れ、且つ、前記開閉弁が開いた状態では、前記コンデンサから送出された後に膨張させた前記冷媒と前記冷却液との間で熱交換させて、前記冷媒を気化させる、
請求項１に記載の車両用空調装置。
【請求項３】
前記切替部の前記開閉弁を第１開閉弁とし、
前記切替部は、更に第２開閉弁及び第３開閉弁を有し、
前記切替部の前記第１開閉弁は、直動式弁により構成され、
前記切替部の前記第２開閉弁は、第１のパイロット式弁により構成され、
前記切替部の前記第３開閉弁は、第２のパイロット式弁により構成される、
請求項１に記載の車両用空調装置。
【請求項４】
前記熱交換器は、車両の発熱部品から前記冷却液を導入するとともに、車両の調温対象部品、および、車室内に送られる空気を加熱するヒーターコアの少なくとも１つに前記冷却液を送出する、
請求項１〜３の何れか一項に記載の車両用空調装置。
【請求項５】
前記熱交換器は、第１熱交換器と第２熱交換器とを含み、前記第１熱交換器は、前記暖房用冷媒回路にて前記第２熱交換器の下流側に直列に設けられ、
前記第１熱交換器は、前記暖房用冷媒回路に前記冷媒が流れる状態では、前記冷却液を導入し、低温低圧の前記冷媒と前記冷却液との間で熱交換させて前記冷媒を気化させる、
請求項１〜４の何れか一項に記載の車両用空調装置。
【発明の詳細な説明】
【技術分野】
【０００１】
本発明は、車両用空調装置に関する。
【背景技術】
【０００２】
従来の車両用の暖房装置として、エンジン冷却水の熱を利用して車室内を暖房する温水式ヒータが多く採用されている。また、従来の車両用の冷房装置として、車室内へ送られる空気をヒートポンプの低温冷媒により冷却するヒートポンプ式冷房装置が一般に採用されている。
【０００３】
特許文献１には、従来の車両に採用されているような温水式ヒータ、並びに、ヒートポンプ式冷房装置の構成を基本としつつ、冷房時と暖房時とで共通のコンプレッサおよび冷媒を利用し、ヒートポンプによりエンジン冷却水をさらに加熱する補助暖房機能を付加することで、暖房性能を向上させた車両用空調装置が開示されている。
【０００４】
また、車両に搭載された各種部品には、通常冷却水による冷却のみを必要とするエンジン等の発熱部品の他、オイルクーラやインバータ等の車載デバイスのように、冷却や加温が必要な調温対象部品も知られている。
【先行技術文献】
【特許文献】
【０００５】
【特許文献１】国際公開第２０１５／０１１８８７号
【発明の概要】
【発明が解決しようとする課題】
【０００６】
しかしながら、特許文献１に開示の車両用空調装置では、エンジン冷却は行われていたが、調温対象部品の冷却ないし加温については触れられていない。近年、特許文献１に開示の車両用空調装置の構成を基本としつつ、調温対象部品の冷却ないし加温を行うような調温機能を簡易な構成により低コストで実現可能な車両用空調装置の開発が強く望まれている。
【０００７】
本発明の目的は、従来の補助暖房機能を備えた車両用空調装置の構成を基本としつつ、簡易な構成により低コストで、調温対象部品の加熱ないし冷却を容易に行うことが可能な車両用空調装置を提供することである。
【課題を解決するための手段】
【０００８】
本発明の一態様に係る車両用空調装置は、コンプレッサと、熱交換器と、コンデンサと、エバポレータと、冷媒通路と、開閉弁と、を備える。コンプレッサは、冷媒を圧縮する。熱交換器は、冷媒と熱輸送用の冷却液との間で熱交換を行う。コンデンサは、高温高圧の冷媒の熱を放出させることにより、冷媒を凝縮させる。エバポレータは、低温低圧の冷媒と車室内へ送られる空気との間で熱交換を行う。冷媒通路には、冷媒が流れる。開閉弁は、冷媒通路を遮断可能とする。暖房用冷媒回路は、冷媒が、コンプレッサから熱交換器を通ってコンプレッサに戻るように構成される。冷房用冷媒回路は、冷媒が、コンプレッサからコンデンサ及びエバポレータを通ってコンプレッサに戻るように構成される。冷房用冷媒回路のうちコンデンサからコンプレッサへ至る冷媒通路は、冷媒通路の途中で、エバポレータを通る第１通路と、エバポレータと並列に設けられた熱交換器を通る第２通路とに分かれている。開閉弁は、第２通路における熱交換器の上流側に設けられる。車両用空調装置は、暖房用冷媒回路に冷媒が流れる状態と、冷房用冷媒回路に冷媒が流れる状態とに切り替え可能な切替部をさらに備える。冷房用冷媒回路に冷媒が流れる状態では、切替部は、開閉弁が閉じて、熱交換器に冷媒が流れず、エバポレータに冷媒が流れる状態と、開閉弁が開いて、熱交換器、および、エバポレータに冷媒が流れる状態とを切り替える。コンプレッサから延びる冷媒通路は、冷房用冷媒回路にてコンデンサに至る第３通路と、暖房用冷媒回路にて熱交換器に至る第４通路とに分岐する分岐部を有する。切替部は、分岐部とコンデンサとの間の冷媒通路と、分岐部と熱交換器との間の冷媒通路のいずれかを遮断することにより、暖房用冷媒回路に冷媒が流れる状態と、冷房用冷媒回路に冷媒が流れる状態とを切り替える。
【発明の効果】
【０００９】
本発明によれば、従来の補助暖房機能を備えた車両用空調装置の構成を基本としつつ、簡易な構成により低コストで、調温対象部品の加熱ないし冷却を容易に行うことができる。
【図面の簡単な説明】
【００１０】
【図１】本発明の実施の形態１に係る車両用空調装置を示す構成図
【図２】本発明の実施の形態１に係る車両用空調装置の暖房モードにおける動作を説明する図
【図３】本発明の実施の形態１に係る車両用空調装置の冷房モードにおける動作を説明する図
【図４】本発明の実施の形態１に係る車両用空調装置の冷房兼冷却モードにおける動作を説明する図
【図５】本発明の実施の形態２に係る車両用空調装置を示す構成図
【図６】本発明の実施の形態３に係る車両用空調装置を示す構成図
【図７】本発明の実施の形態４に係る車両用空調装置を示す構成図
【図８】本発明の実施の形態５に係る車両用空調装置を示す構成図
【発明を実施するための形態】
【００１１】
以下、本発明の各実施の形態について図面を参照して詳細に説明する。
【００１２】
［実施の形態１］
図１は、本発明の実施の形態１の車両用空調装置を示す構成図である。
本発明の実施の形態１の車両用空調装置１は、発熱部品に相当するエンジン（内燃機関）４０、調温対象部品に相当する車載デバイス（例えば、オイルクーラやインバータ等）４１を備えた車両に搭載されて、車室内の空気調整を行う装置である。
【００１３】
図２は、車室内を暖房するヒートポンプ式の暖房モードにおける動作を説明する図である。図３は、車室内を冷房する冷房モードにおける動作を説明する図である。図４は、車室内を冷房し、且つ、車載デバイス４１を冷却する冷房兼冷却モードにおける動作を説明する図である。図２〜図４における動作の詳細は後述する。
【００１４】
車両用空調装置１は、コンプレッサ１０、第１熱交換器１１、第２熱交換器１２、室外コンデンサ（コンデンサに相当）２０、ヒーターコア３１、エバポレータ３２、エンジン４０、車載デバイス４１、開閉弁５１，５２，５３、絞り弁５４、膨張弁５５，５６、逆止弁５７、三方弁５８と、これらの間で冷媒を流す冷媒配管（通路）からなる冷媒回路２（図１の実線で示される回路）、および、冷却液を流す冷却液配管（通路）からなる冷却液回路３（図１の点線で示される回路）等を具備する。
【００１５】
冷媒回路２のうち、コンプレッサ１０、第２熱交換器１２、第１熱交換器１１の間を結び、冷媒が循環する冷媒配管は、暖房用の冷媒回路２Ａをなし、また、コンプレッサ１０、室外コンデンサ２０、エバポレータ３２の間を結び、冷媒が循環する冷媒配管は、冷房用の冷媒回路２Ｂをなしている。なお、暖房用の冷媒回路２Ａの一部と、冷房用の冷媒回路２Ｂの一部とは共通している。
【００１６】
冷却液回路３をなす冷却液配管は、冷却の対象であるエンジン４０、冷却のみならず加温の対象ともなる車載デバイス４１、それに、第１熱交換器１１、第２熱交換器１２、および、ヒーターコア３１の間を結び、冷却液が循環するように構成されている。
【００１７】
エンジン４０は、エンジン冷却部を備えている。エンジン冷却部は、エンジン４０の周囲に冷却液を流すウォータジャケットと、ウォータジャケットに冷却液を流すポンプとを具備し、ウォータジャケットに流れる冷却液にエンジン４０の排熱を放出させる。ポンプは、例えば、エンジン４０の動力により回転する。
【００１８】
エンジン４０が備えるエンジン冷却部の冷却液の導入口は、冷却液配管を介して第１熱交換器１１、および、車載デバイス４１に連通している。また、エンジン４０が備えるエンジン冷却部の冷却液の送出口は、冷却液配管を介して第２熱交換器１２に連通している。なお、エンジン冷却部には、エンジン４０の排熱量が多くなった場合に、熱を外気に放出するラジエータが備わっていてもよい。
【００１９】
冷却液は、例えば、ＬＬＣ（Long Life Coolant）等の不凍液であり、熱を輸送するための液体である。ここで、冷却液回路３における冷却液の移送は、エンジン冷却部が備えたポンプのみを用いておこなうことができる。これにより、装置のコストの低減および装置の設置スペースの縮小を図ることができる。なお、冷却液の移送能力を高めるために、冷却液配管の他の箇所にポンプを追加してもよい。
【００２０】
車載デバイス４１は、例えば、オイルクーラやインバータ等のように、加温のみならず冷却する必要がある調温対象部品である。車載デバイス４１にも、例えば、前記エンジン冷却部と同様な構成のデバイス調温部を設けて、車載デバイス４１が備えるデバイス調温部に流れる冷却液に車載デバイス４１から熱を放出させ、また、冷却液からデバイス４１に熱を供給する。ここで、デバイス調温部にも、冷却液を動力で移送するポンプを追加してもよい。
【００２１】
車載デバイス４１が備えるデバイス調温部の冷却液の導入口は、冷却液配管を介して第２熱交換器１２に連通されている。一方、車載デバイス４１が備えるデバイス調温部の冷却液の送出口は、冷却液配管を介して、エンジン４０が備えるエンジン冷却部の冷却液の導入口に連通している。なお、車載デバイス４１の排熱量が多いような場合には、第２熱交換器１２から送出された冷却液を、さらにラジエータに通してから車載デバイス４１に導入させてもよい。
【００２２】
コンプレッサ１０は、エンジンの動力または電気により駆動して、吸入した冷媒を圧縮し、高温高圧の冷媒を吐出する装置である。コンプレッサ１０で圧縮された冷媒は、コンプレッサ１０の吐出口より冷媒配管を通って室外コンデンサ２０、または、第２熱交換器１２へ送られる。
【００２３】
また、第１熱交換器１１、または、エバポレータ３２から吐出される低温低圧の冷媒は、冷媒配管を通ってコンプレッサ１０の吸入口から吸入される。
【００２４】
コンプレッサ１０の吐出口から延びる冷媒配管には、室外コンデンサ２０の冷媒導入口に至る配管と、第２熱交換器１２の冷媒導入口に至る配管とに冷媒配管を分岐させる分岐部が設けられている。
【００２５】
この分岐部に至るコンプレッサ１０の吐出口から延びる配管には、暖房時にも、冷房時にも冷媒が流れる。そして、上記分岐部と室外コンデンサ２０の冷媒導入口との間の配管には、冷媒の流れを遮断可能な第１開閉弁（切替手段に相当）５１が配置されている。一方、上記分岐部と第２熱交換器１２の冷媒導入口との間の配管には、冷媒の流れを遮断可能な第２開閉弁（切替手段に相当）５２が配置されている。
【００２６】
第１開閉弁５１および第２開閉弁５２は、例えば、電気的な制御により冷媒配管の途中で開閉を切り替える弁である。例えば、第１開閉弁５１および第２開閉弁５２として、電磁弁の一種であるパイロット式弁が採用される。パイロット式弁は、小孔を開閉させることで流体の流れを制御し、それによって生じる流体の圧力差を利用して弁体を作動させる弁である。第１開閉弁５１、第２開閉弁５２を配置する冷媒配管の箇所では、冷媒が流れる方向は常に一定であるため、パイロット式弁を採用することができる。パイロット式弁の場合、配置する冷媒配管における冷媒の圧力が高くても問題なく作動させることができる。
【００２７】
そして、第１開閉弁５１および第２開閉弁５２の開閉の切り替え制御により、コンプレッサ１０から吐出された高温高圧の冷媒が、室外コンデンサ２０を含む冷房用の冷媒回路２Ａに送出されるのか、または、第２熱交換器１２を含む暖房用の冷媒回路２Ｂに送出されるのかが選択される。
【００２８】
第２熱交換器１２は、後に詳しく説明する暖房モードではサブコンデンサ（凝縮器）として機能し、コンプレッサ１０から吐出された高温高圧の冷媒を流す内部通路と、冷却液を流す内部通路とを有し、冷媒と冷却液との間で熱交換を行う。具体的には、第２熱交換器１２には、暖房モードのときに、コンプレッサ１０から高温高圧の冷媒が送られて、高温高圧の冷媒から冷却液へ熱を放出させる。これにより、第２熱交換器１２は、高温高圧の冷媒を凝縮させる。
【００２９】
第２熱交換器１２の冷媒導入口は、暖房用の冷媒回路２Ａの冷媒配管を介してコンプレッサ１０の吐出口に連通されている。一方、第２熱交換器１２の冷媒送出口は、同じく暖房用の冷媒回路２Ａの冷媒配管を介して、膨張弁５５および第１熱交換器１１を順に経てコンプレッサ１０の吸入口に連通している。さらに、第２熱交換器１２の冷媒導入口は、室外コンデンサ２０から延びる冷媒配管から分岐する配管を介して、室外コンデンサ２０の冷媒送出口にも連通している。
【００３０】
このように、室外コンデンサ２０からコンプレッサ１０へ至る冷媒配管は、途中でエバポレータ３２を通る冷媒配管と、エバポレータ３２と並列に設けられた第２熱交換器１２を通るバイパス冷媒回路２Ｂ’の冷媒配管とに分岐している。第２熱交換器１２の上流側のバイパス冷媒回路２Ｂ’の冷媒配管は、コンプレッサ１０から第２熱交換器１２に至る暖房用の冷媒回路２Ａの冷媒配管に接続される。これにより、バイパス冷媒２Ｂ’の冷媒配管は、第２熱交換器１２の冷媒導入口に連通する。
【００３１】
また、バイパス冷媒回路２Ｂ’の冷媒配管のうち、第２熱交換器１２の冷媒送出口から膨張弁５５および第１熱交換器１１を順に経て、コンプレッサ１０の吸入口に連通される部分は、暖房用の冷媒回路２Ａの冷媒配管と共通のものとなっている。そして、バイパス冷媒回路２Ｂ’の冷媒配管には、第２熱交換器１２の冷媒導入口に冷媒を流入させ、または、冷媒の流れを遮断する第３開閉弁（開閉弁に相当）５３が設けられる。
【００３２】
第３開閉弁５３は、例えば、電気的な制御により、冷媒配管の途中で開閉を切り替える弁であり、閉じたときに冷媒の流れを遮断する。例えば、第３開閉弁５３として、電磁弁の一種である直動式弁が採用される。直動式弁は、可動コアを作動させて機械的にメインオリフィスを開閉させることにより、流体（冷媒）の流れを制御する弁である。
【００３３】
直動式弁の場合、冷媒配管に対する接続口径を小口径にすることで、冷媒の圧力が高くても開閉させることができる。この場合、直動式弁は冷媒を膨張させる機能を果たすことができるので、後述する絞り弁５４を不要とすることもできる。また、第３開閉弁５３を逆止弁と併用することで、直動式弁の代わりにパイロット式弁を用いることもできる。
【００３４】
冷房用の冷媒回路２Ａに冷媒が流れる状態では、第３開閉弁５３の開閉の切り替え制御により、室外コンデンサ２０から送出された冷媒が、エバポレータ３２のある冷媒配管だけを通ってコンプレッサ１０に戻るか、または、エバポレータ３２のある冷媒配管だけでなく、第２熱交換器１２および第１熱交換器１１を含むパイパス冷媒回路２Ｂ’の冷媒配管も通ってコンプレッサ１０に戻るのかが選択される。なお、第３開閉弁５３は、バイパス冷媒回路２Ｂ’の冷媒配管のどこかで冷媒の流れを遮断できればよく、その位置は図１に示した位置に限定されることはない。
【００３５】
また、第２熱交換器１２は、暖房用の冷媒回路２Ａに冷媒が流れる状態では、高温高圧の冷媒と冷却液との間で熱交換させて冷媒を凝縮させるサブコンデンサ（凝縮器）として機能する。一方、冷房用の冷媒回路２Ｂに冷媒が流れ、かつ、第３開閉弁５３が開いた状態では、第２熱交換器１２は、室外コンデンサ２０から送出された後に膨張させた冷媒と冷却液との間で熱交換させて冷媒を気化させるサブエバポレータ（蒸発器）として機能する。
【００３６】
さらに、第２熱交換器１２の冷媒導入口と第３開閉弁５３との間には、絞り弁５４が配置される。絞り弁５４は、高温高圧の冷媒を膨張させ、低温低圧の冷媒を第２熱交換器１２へ送出する。なお、第３開閉弁５３と絞り弁５４の代わりにオリフィス電磁弁などを用いることとしてもよい。
【００３７】
一方、冷却液回路３においては、第２熱交換器１２の冷却液の導入口は、冷却液配管を介してエンジン４０のエンジン冷却部に連通されている。一方、第２熱交換器１２の冷却液の送出口は、冷却液配管を介して三方弁５８により、ヒーターコア３１または車載デバイス４１のいずれかに連通する。
【００３８】
三方弁５８は、例えば、電気的な制御により、第２熱交換器１２の冷媒送出口から送出された冷却液の流れを、ヒーターコア３１に向かう流れと、車載デバイス４１に向かう流れのいずれかに切り替える弁である。
【００３９】
第１熱交換器１１は、暖房モード、および、冷房兼冷却モードにおいてサブエバポレータ（蒸発器）として機能する。この第１熱交換器１１は、低温低圧の冷媒を流す内部通路と、冷却液を流す内部通路とを有し、冷媒と冷却液との間で熱交換を行う。第１熱交換器１１では、後に詳しく説明するが、暖房モード、および、冷房兼冷却モードのときに、膨張弁５５から低温低圧の冷媒が導入され、冷却液から低温低圧の冷媒へと熱が移動する。これにより、第１熱交換器１１は低温低圧の冷媒を気化させる。
【００４０】
第１熱交換器１１の冷媒導入口は、膨張弁５５を介して、第２熱交換器１２の冷媒送出口に連通している。一方、第１熱交換器１１の冷媒送出口は、逆止弁５７とコンプレッサ１０とを接続する冷媒配管の途中に連通している。
【００４１】
膨張弁５５は、冷媒を膨張させ、低温低圧となった冷媒を第１熱交換器１１に吐出する。膨張弁５５は、第１熱交換器１１の上流側に第１熱交換器１１に近接して配置されている。膨張弁５５は、例えば、第１熱交換器１１から送出される冷媒の温度により、吐出する冷媒量を自動的に調整する機能を有する温度式膨張弁（Thermal Expansion Valve）である。
【００４２】
また、冷却液回路３においては、第１熱交換器１１の冷却液の導入口は、冷却液配管を介してヒーターコア３１に連通される。一方、第１熱交換器１１の冷却液の送出口は、冷却液配管を介してエンジン４０のエンジン冷却部に連通している。
【００４３】
室外コンデンサ２０は、高温高圧の冷媒を流す内部通路と、空気を流す内部通路とを有し、例えばエンジンルーム内の車両の先頭付近に配置されて、冷媒と外気との間で熱交換を行う。室外コンデンサ２０には、冷房モード、および、冷房兼冷却モードのときに、コンプレッサ１０から吐出された高温高圧の冷媒が流れ、冷媒から外気へ熱が排出される。室外コンデンサ２０には、例えば、ファンにより外気が吹き付けられる。なお、室外コンデンサ２０の冷媒の送出側に、リザーバタンクを設けることとしてもよい。
【００４４】
ヒーターコア３１とエバポレータ３２は、ＨＶＡＣ（Heating, Ventilation, and Air Conditioning）３０の吸気通路内に配置される。ＨＶＡＣ３０には、吸気を流すファン３４が設けられている。ヒーターコア３１は、冷却液回路３に含まれており、エバポレータ３２は、冷媒回路２に含まれている。
【００４５】
ヒーターコア３１は、冷却液と空気との間で熱交換を行う機器であり、車室内へ空気を供給するＨＶＡＣ３０の吸気通路内に配置される。ヒーターコア３１には、加熱された冷却液が供給され、暖房モード１のとき、車室内へ送られる吸気（車室内に送られる空気）に熱を放出する。ヒーターコア３１は、吸気通路内にあるドア３３の開度により通過する空気の量を調整可能になっている。ここでドア３３は、電気的な制御で開閉可能であり、ミックスドアとも呼ばれる。
【００４６】
エバポレータ３２は、低温低圧の冷媒と、空気との間で熱交換を行う機器であり、ＨＶＡＣ３０の吸気通路内に配置される。エバポレータ３２には、冷房モード、冷房兼冷却モードのとき、低温低圧の冷媒が流され、車室内へ供給される吸気（車室内に送られる空気）を冷却する。
【００４７】
膨張弁５６は、高圧の冷媒を膨張させ、低温低圧の冷媒をエバポレータ３２に吐出する。膨張弁５６は、エバポレータ３２の上流側にエバポレータ３２に近接して配置されている。膨張弁５６は、例えば、エバポレータ３２から送出される冷媒の温度により、吐出する冷媒量を自動的に調整する機能を有する温度式膨張弁である。
【００４８】
エバポレータ３２からコンプレッサ１０へ至る冷媒回路の途中には、逆止弁５７が配置されている。逆止弁５７は、室外コンデンサ２０およびエバポレータ３２に冷媒が流れない暖房モードのときに、冷媒の逆流を防ぐ弁である。
【００４９】
暖房モードにおいても、外気が低いと、室外コンデンサ２０およびエバポレータ３２における冷媒圧力が低くなることがある。この圧力低下があると、第１熱交換器１１および第２熱交換器１２の冷媒回路２Ａに流れている冷媒が、エバポレータ３２側の冷房用の冷媒回路２Ｂへ逆流してしまい、ヒートポンプサイクルの効率が低下してしまう。このような不都合を逆止弁５７があることにより回避することができる。
【００５０】
また、車両用空調装置１は、制御系の構成として、コンプレッサ１０の駆動、ＨＶＡＣ３０の各動作部分の駆動、各開閉弁４１，５２，５３の開閉、三方弁５８の流路の切替、冷却液を動力で移送するポンプ等をそれぞれ制御するための制御部（図示せず）を備えている。制御部は、例えば、マイクロコンピュータ、Ｉ／Ｏ、制御プログラムを格納したプログラムメモリ、作業用のメモリ等を備え、マイクロコンピュータが制御プログラムに従って所定の制御を行う装置であるが、一つのユニットとして構成されていてもよいし、複数のユニットから構成されていてもよい。
【００５１】
次に、車両用空調装置１の動作について説明する。車両用空調装置１の動作モードには、温水式の暖房モードの他、ヒートポンプ式の暖房モード、冷房モード、冷房兼冷却モード等があり、これらの動作モードを切り替えて動作する。このうち温水式の暖房モードとは、ヒートポンプを作動させずに車室内を暖房するモードである。以下では、暖房モード、冷房モード、および、冷房兼冷却モードを代表例として順に説明する。
【００５２】
［暖房モード］
図２は、暖房モードにおける動作を説明する図である。暖房モードは、第１開閉弁５１が閉じ、第２開閉弁５２が開き、第３開閉弁５３が閉じた状態となるモードである。また、ヒーターコア３１のドア３３は開かれる（例えば全開）。さらに、三方弁５８は、第２熱交換器１２から送出された冷却液が、ヒーターコア３１に流れるように切り替えられる。
【００５３】
暖房モードでは、コンプレッサ１０から吐出された冷媒は、暖房用の冷媒回路２Ａにて、第２熱交換器１２、膨張弁５５、および、第１熱交換器１１を順に通って、コンプレッサ１０に戻るように循環する。
【００５４】
ここで、コンプレッサ１０により圧縮された高温高圧の冷媒は、第２熱交換器１２にて冷却液へ放熱して凝縮する。凝縮した冷媒は、膨張弁５５により膨張して低温低圧の冷媒となり、第１熱交換器１１へ送られる。低温低圧の冷媒は、第１熱交換器１１にて冷却液から熱を吸収して気化する。気化した低圧の冷媒は、コンプレッサ１０に吸引されて再び圧縮される。
【００５５】
冷却液は、冷却液回路３にて、エンジン４０、第２熱交換器１２、ヒーターコア３１、および、第１熱交換器１１を順に通るように循環する。ここで、エンジン４０にて排熱を吸収した冷却液は、さらに第２熱交換器１２で加熱されてヒーターコア３１に送られる。高温になった冷却液は、ヒーターコア３１で車室内へ送られる吸気を十分に加熱することができる。
【００５６】
そして、ヒーターコア３１を通過した冷却液は、外気より温度が高い状態であるため、第１熱交換器１１にて冷媒に熱を放出して冷媒を気化させることができる。また、第１熱交換器１１にて冷却された冷却液はエンジン４０に送られ、エンジン４０の冷却に用いられる。
【００５７】
このような動作により、車室内の十分な暖房を行うことができる。
【００５８】
［冷房モード］
図３は、冷房モードの動作を説明する図である。冷房モードは、第１開閉弁５１が開き、第２開閉弁５２が閉じ、第３開閉弁５３も閉じた状態となるモードである。また、ヒーターコア３１のドア３３は全閉される。さらに、三方弁５８は、第２熱交換器１２から送出された冷却液が、ヒーターコア３１に流れるように切り替えられる。
【００５９】
冷房モードでは、コンプレッサ１０から吐出された冷媒は、冷房用の冷媒回路２Ｂにて、室外コンデンサ２０、膨張弁５６、および、エバポレータ３２を順に通って、コンプレッサ１０に戻るように循環する。
【００６０】
ここで、コンプレッサ１０により圧縮された高温高圧の冷媒は、室外コンデンサ２０にて空気へ放熱して凝縮する。凝縮した冷媒は、膨張弁５６により膨張して低温低圧の冷媒となり、エバポレータ３２へ送られる。低温低圧の冷媒は、エバポレータ３２にて、車室内へ送られる吸気を冷却して気化する。気化した低圧の冷媒は、コンプレッサ１０に吸引されて圧縮される。
【００６１】
冷却液の流れは、暖房モードの場合と同じであり、冷却液回路３にて、エンジン４０、第２熱交換器１２、ヒーターコア３１、および、第１熱交換器１１を順に通るように循環する。この場合、冷却液は、第２熱交換器１２、ヒーターコア３１、および、第１熱交換器１１を順に通過するとき、冷媒または空気との間でほとんど熱交換しない。冷却液の放熱は、主に、エンジン４０にあるエンジン冷却部のラジエータで行われる。
【００６２】
エンジン４０は非常に高温になるので、外気温が高くてもラジエータによる放熱により冷却がなされる。ここで、ラジエータ側に冷却液を多く流し、ヒーターコア３１側の流れを少なくする構成を採用することとしてもよい。
【００６３】
このような動作により、車室内の十分な冷房を行うことができる。
【００６４】
［冷房兼冷却モード］
図４は、冷房兼冷却モードの動作を説明する図である。冷房兼冷却モードでは、第１開閉弁５１が開き、第２開閉弁５２が閉じ、第３開閉弁５３は開いた状態となるモードである。また、ヒーターコア３１のドア３３は全閉される。さらに、三方弁５８は、第２熱交換器１２から送出された冷却液が、ヒーターコア３１にではなく、車載デバイス４１に流れるように切り替えられる。
【００６５】
冷房兼冷却モードでは、コンプレッサ１０から吐出された冷媒は、冷房用の冷媒回路２Ｂにて室外コンデンサ２０を通った後、エバポレータ３２を通る冷媒配管を流れるだけでなく、エバポレータ３２と並列に設けられた各熱交換器１１，１２を通る冷媒配管を流れる。
【００６６】
すなわち、室外コンデンサ２０から送出された冷媒は、膨張弁５６、エバポレータ３２を順に通ってコンプレッサ１０に戻る冷媒配管と、第３開閉弁５３、絞り弁５４、第２熱交換器１２、第１熱交換器１１を順に通ってコンプレッサ１０に戻るバイパス冷媒回路２Ｂ’の冷媒配管の双方に流れる。
【００６７】
この場合、コンプレッサ１０により圧縮された冷媒は、室外コンデンサ２０にて空気へ放熱して凝縮する。凝縮した冷媒は、膨張弁５６において膨張して低温低圧の冷媒となり、エバポレータ３２に送られる。そして、低温低圧の冷媒は、エバポレータ３２にて、車室内へ送られる吸気を冷却して気化する。気化した低圧の冷媒は、コンプレッサ１０に吸引されて圧縮される。
【００６８】
一方、バイパス冷媒回路２Ｂ’の冷媒配管を通る冷媒は、絞り弁５４において膨張してから、第２熱交換器１２へ送られる。ここで第２熱交換器１２は、暖房モードのように冷媒を凝縮させるのではなく、冷媒を気化させることにより冷却液を冷やす。
【００６９】
そして、第２熱交換器１２から送出された冷媒は、膨張弁５５において膨張してさらに低温低圧の冷媒となり、第１熱交換器１１へ送られる。低温低圧の冷媒は、第１熱交換器１１にて冷却液から熱を吸収して気化する。気化した低圧の冷媒は、コンプレッサ１０に吸引されて再び圧縮される。
【００７０】
一方、冷却液は、冷房モードの場合とは異なり、冷却液回路３にて、エンジン４０、第２熱交換器１２、および、車載デバイス４１を順に通るように循環する。ここで、エンジン４０にて排熱を吸収した冷却液は、第２熱交換器１２で冷却された後、三方弁５８を経て車載デバイス４１に送られる。このように、第２熱交換器１２により冷却された冷却液が車載デバイス４１に送られることにより、車載デバイス４１の冷却を行うことができる。
【００７１】
このような動作により、車室内の十分な冷房を行うことができるとともに、車載デバイス４１の冷却も行うことができる。
【００７２】
以上のように、本実施の形態１の車両用空調装置１は、エンジン４０の冷却液をヒーターコア３１に流して暖房に利用する温水式ヒータの構成と、ヒートポンプの低温低圧の冷媒を利用して冷房を行うヒートポンプ式冷房装置の構成とを基本構成として併せ持つ。そして、この基本構成に、ヒートポンプにより冷却液をさらに加熱する補助暖房機能が追加された構成となっている。このような構成により、エンジン４０が低温なときでも、ヒートポンプの作用により、少ないエネルギーで速やかに車室内の暖房を行うことが可能となる。
【００７３】
すなわち、本実施の形態１の車両用空調装置１によれば、従来の車両で採用されているような温水式ヒータ、並びに、ヒートポンプ式冷房装置の構成を基本としつつ、冷房時と暖房時とで共通のコンプレッサ１０および冷媒を利用することにより、低コストに暖房性能を向上することができ、且つ、従来の構成から設置スペースの増加分を少なくできる。
【００７４】
しかも、本実施の形態１の車両用空調装置１によれば、冷房用の冷媒回路２Ｂにバイバス冷媒回路２Ｂ’を追加して第３開閉弁も配置し、バイバス冷媒回路２Ｂ’に冷媒が流れる冷房兼冷却モード３では、第２熱交換器１２をサブコンデンサとしてではなく、サブエバポレータとして機能させることとした。これにより、部品点数や設置スペースの増加を極力抑えつつ、上記基本構成をそのまま生かした上で、車載デバイス４１を冷却できる機能を付加することができる。
【００７５】
すなわち、冷房用の冷媒回路２Ｂにおいては、冷媒の流れる経路を一部変更するだけで、冷却液の加熱のみならず冷却も可能とし、構成の複雑化を抑えつつ、車載デバイス４１の加熱、冷却を行うことができる。
【００７６】
ここで車載デバイス４１を加熱する場合の動作の詳細は省略したが、例えば、暖房モードのときに、三方弁５８を切り替えて車載デバイス４１に高温の冷却液を流すことにより、新たな配管等を追加することなく容易に車載デバイス４１を加熱することができる。
【００７７】
また、本実施の形態１の車両用空調装置１によれば、冷媒回路２のうち、第２熱交換器１２から第１熱交換器１１へ至る冷媒配管と、室外コンデンサ２０からエバポレータ３２へ至る冷媒配管とが異なるので、各冷媒配管を、複数の動作モード（例えば暖房モードと冷房モード）に適合するよう独立に調整することができる。
【００７８】
また、本実施の形態の車両用空調装置１によれば、第１熱交換器１１の前で冷媒を膨張させる膨張弁５５と、エバポレータ３２の前で冷媒を膨張させる膨張弁５６とを有しているので、各膨張弁を、複数の動作モードに合うように独立に調整することができる。
【００７９】
本実施の形態では、冷房モードでは空気と冷媒とを熱交換させ、暖房モードでは冷却液と冷媒とを熱交換させるが、複数の動作モードに合せて調整することができることから、各動作モードに特化した動作性能を発揮させることが可能となる。また、動作モードをスムーズに切り替えることが可能となる。
【００８０】
さらに、第２熱交換器１２から第１熱交換器１１へ至る冷媒配管と、室外コンデンサ２０からエバポレータ３２へ至る冷媒配管との一部が共通となる構成では、動作モードの切り替え時に、室外コンデンサ２０に冷媒が貯まって回収困難となり、冷媒量が不安定になるという課題が考えられる。しかし、本実施の形態の車両用空調装置１では、このような課題が生じ難い。
【００８１】
上記実施の形態１では、暖房用の冷媒回路２Ａにおいて、第２熱交換器１２の下流側に第１熱交換器１１を備えた構成を例にして説明したが、車両用空調装置は、第１熱交換器１１を設けない構成であってもよい。次に、このような場合について説明する。
【００８２】
［実施の形態２］
図５は、本発明の実施の形態２の車両用空調装置１ａを示す構成図である。なお、上記実施の形態１と同様の構成には同一符号を付して重複した説明を省略する。
【００８３】
この車両用空調装置１ａは、上記実施の形態１と基本的な構成は共通する。しかし、この車両用空調装置１ａでは、冷媒回路２のうち第２熱交換器１２の冷媒送出口とコンプレッサ１０の冷媒吸入口の間には第１熱交換器１１が配置されておらず、また、ホットガスサイクル方式が採用され得る。
【００８４】
図５の例では、冷却液回路３は、エンジン４０、第２熱交換器１２、および、車載デバイス４１の間を冷却液が循環するように構成されている。この車両用空調装置１ａでも、上記車両用空調装置１と同様に、第２熱交換器１２によって冷却液を加熱するだけでなく冷却することが可能である。車載デバイス４１の調温状況（暖めたい／冷やしたい）に合わせて、暖房モード、冷房モード、冷房兼冷却モードの何れかに運転モードを切り替えることができる。
【００８５】
すなわち、図５において、第１開閉弁５１を閉じ、第２開閉弁５２を開き、第３開閉弁４１を閉じれば、運転モードが暖房モードに切り替わる。暖房モードでは、コンプレッサ１０から吐出された冷媒は、第２熱交換器１２を通って、コンプレッサ１０に戻るように循環する。冷却液は、エンジン４０、第２熱交換器１２、および、車載デバイス４１を順に通るように循環する。第２熱交換器１２では、高温高圧の冷媒と冷却液との間で熱交換が行われ、加熱された冷却液は、車載デバイス４１へ送出されて、車載デバイス４１を加熱する。
【００８６】
また、第１開閉弁５１を開き、第２開閉弁５２を閉じ、第３開閉弁５３を閉じれば、運転モードが冷房モードに切り替わる。冷房モードでは、コンプレッサ１０から吐出された冷媒は、室外コンデンサ２０、膨張弁５６、および、エバポレータ３２、コンプレッサ１０を順に通って、コンプレッサ１０に戻るように循環する。冷却液の流れは、暖房モードの場合と同様である。
【００８７】
さらに、第１開閉弁５１を開き、第２開閉弁５２を閉じ、第３開閉弁５３も閉じれば、運転モードが冷房兼冷却モードに切り替わる。冷房兼冷却モードでは、コンプレッサ１０から吐出された冷媒は、冷房モードの場合と同様にエバポレータ３２を通る冷媒配管を流れるだけでなく、エバポレータ３２と並列に設けられた第２熱交換器１２を通る冷媒配管を流れる。冷却液の流れは、暖房モードおよび冷房モードの場合と同様である。
【００８８】
そして、第２熱交換器１２では、絞り弁５４において膨張した冷媒と冷却液との間で熱交換が行われ、冷却された冷却液は車載デバイス４１へ送出され、車載デバイス４１を冷却する。
【００８９】
なお、図５では、第２熱交換器１２から送出された冷却液をヒーターコア３１へ送出する配管が省略されているが、上記実施の形態１と同様に、車載デバイス４１またはヒーターコア３１の何れか一方に冷却液を送出できるように冷却回路３を構成してもよい。
【００９０】
［実施の形態３］
図６は、本発明の実施の形態３の車両用空調装置を示す構成図である。なお、上記実施の形態１、２と同様の構成には同一符号を付して重複した説明を省略する。
【００９１】
この車両用空調装置１ｂは、上記実施の形態２の車両用空調装置１ａに絞り弁５９、および、第１熱交換器１１を追加した構成である。すなわち、冷媒回路２のうち第２熱交換器１２の冷媒送出口とコンプレッサ１０の冷媒吸入口の間に、絞り弁５９、および、上記実施の形態１と同様の第１熱交換器１１が配置され、ヒートポンプサイクルが構成される。
【００９２】
冷却液回路３は、エンジン４０、第２熱交換器１２、車載デバイス４１、および、第１熱交換器１１の間を冷却液が循環するように構成されている。
【００９３】
車両用空調装置１ｂでも、上記車両用空調装置１ａと同様に、第２熱交換器１２によって冷却液を加熱するだけでなく冷却することが可能である。車載デバイス４１の調温状況（暖めたい／冷やしたい）に合わせて、各開閉弁５１〜５３の開閉制御により、暖房モード、冷房モード、冷房兼冷却モードの何れかに運転モードを切り替えることができる。
【００９４】
特に、第１熱交換器１１を設けることにより、車載デバイス４１を通過した冷却液がさらに冷却されるヒートポンプサイクルが形成される。従って、実施の形態２における車両用空調装置１ａに比べて、エンジン４０の排熱をより吸収することが可能となり、外気温等に頼らずに安定した駆動が可能となる。
【００９５】
なお、冷媒回路２において、第１熱交換器１１の上流側には、冷媒を膨張させる絞り弁５９が配置されている。絞り弁５９は、絞り弁５４と同様の構成であるが、絞り弁５４の代わりに前述の膨張弁５５を採用してもよく、具体的な弁の種類の選択は適宜変更し得る。
【００９６】
また、図６では、第２熱交換器１２から送出された冷却液をヒーターコア３１へ送出する配管が省略されているが、上記実施の形態１と同様に、車載デバイス４１またはヒーターコア３１の何れか一方に冷却液を送出できるように冷却回路３を構成してもよい。
【００９７】
［実施の形態４］
図７は、本発明の実施の形態４の車両用空調装置１ｃを示す構成図である。なお、上記実施の形態１〜３と同様の構成には同一符号を付して重複した説明を省略する。
【００９８】
この車両用空調装置１ｃは、上記実施の形態１と基本的な構成は共通し、冷媒回路２については、上記実施の形態１と同様に構成されている。しかし、冷却液回路３については、冷却液配管のルートが一部異なっている。
【００９９】
具体的には、冷却液回路３は、エンジン４０、第２熱交換器１２、ヒーターコア３１、車載デバイス４１、および、第１熱交換器１１の間を冷却液が循環するように構成されている。ここで、ヒーターコア３１と車載デバイス４１とは直列に配置されている。従って、ヒーターコア３１を温めるときは、車載デバイス４１も同時に温めることができ、車載デバイス４１を温めるときは、ヒーターコア３１も同時に温めることができる。
【０１００】
［実施の形態５］
図８は、本発明の実施の形態５の車両用空調装置１ｄを示す構成図である。なお、上記実施の形態１〜４と同様の構成には同一符号を付して重複した説明を省略する。
【０１０１】
この車両用空調装置１ｄは、上記実施の形態３と基本的な構成は共通し、冷媒回路２については、上記実施の形態１、３と同様に構成されている。しかし、冷却液回路３については、冷媒配管のルートが一部異なっている。
【０１０２】
具体的には、冷却液回路３は、エンジン４０の冷媒液送出口からの冷却液配管が三方弁６１により分岐され、第２熱交換器１２、車載デバイス４１を順に通りエンジン４０の冷媒液導入口に戻る冷却液の流路と、膨張弁５５および第１熱交換器１１を通りエンジン４０の冷媒液導入口に戻る冷却液の流路のいずれかに冷却液の流路を切り替えることができるように構成されている。
【０１０３】
三方弁６１は、例えば、電気的な制御により、エンジン４０から送出された冷却液の流れを、一方の側と他方の側とに切り替え可能な弁である。このように冷却液を、第１熱交換器１１、第２熱交換器１２の一方に流すことにより、圧力損失を低減することが可能となる。
【０１０４】
以上、本発明の実施の形態を図面によって説明してきたが、具体的な構成はこれらの実施の形態に限られるものではなく、本発明の要旨を逸脱しない範囲における変更や追加があっても本発明に含まれる。例えば、本発明の車両用空調装置は、ヒートポンプサイクルを構成するシステムに適用するだけでなく、上記実施の形態２の車両用空調装置１ａのように、ホットガスサイクルを構成するシステムにも適用してもよい。
【０１０５】
また、上記実施の形態では、車両の加熱部品がエンジン４０である場合を例にとって説明したが、電気自動車における走行用の電気モータ、走行用の電力を供給する二次電池等、他の加熱部品であってもよい。
【０１０６】
さらに、第１熱交換器１１、第２熱交換器１２、膨張弁５５、第１開閉弁５１、および、第２開閉弁５２等は、一体化されたユニットとして構成されてもよい。ここでユニットとは、１つの筐体に各構成要素が収容されて一体化されたものであってもよいし、各構成要素が接合されることで一体化されたものであってもよい。
【産業上の利用可能性】
【０１０７】
本発明は、エンジン車、電気自動車、或いは、ＨＥＶ車等、各種車両に搭載される車両用空調装置に利用できる。
【符号の説明】
【０１０８】
１、１ａ、１ｂ、１ｃ、１ｄ  車両用空調装置
２  冷媒回路
２Ａ  暖房用の冷媒回路
２Ｂ  冷房用の冷媒回路
２Ｂ’  バイパス冷媒回路
３  冷却液回路
１０  コンプレッサ
１１  第１熱交換器
１２  第２熱交換器
５１  第１開閉弁（切替手段）
５２  第２開閉弁（切替手段）
５３  第３開閉弁（開閉弁）
５４、５９  絞り弁
５５、５６  膨張弁
５７  逆止弁
５８、６１  三方弁
２０  室外コンデンサ
３０  ＨＶＡＣ
３１  ヒーターコア
３２  エバポレータ
３３  ドア
３４  ファン
４０  エンジン（エンジン冷却部）
４１  車載デバイス（エンジン調温部）
【図１】
0006590321.tif 000002
【図２】
0006590321.tif 000003
【図３】
0006590321.tif 000004
【図４】
0006590321.tif 000005
【図５】
0006590321.tif 000006
【図６】
0006590321.tif 000007
【図７】
0006590321.tif 000008
【図８】
0006590321.tif 000009